(57)【要約】【課題】本発明は、台襟付きシャツの襟の形状を保持しながら、その台襟付きシャツを、誰もが同一寸法で容易に折りたたむことができ、かつ、その形状を保持したまま持ち運ぶことができる携帯用台襟付きシャツホルダーを得ることにある。【解決手段】シート状の素材からなる、襟羽根と襟の間に挿入される襟形保持部と、台襟付きシャツの後ろ身頃上部に当てたまま折りたたまれる第１シート部及び第２シート部と、折りたたまれた台襟付きシャツの背面に当てられる第３シート部と、折りたたまれた台襟付きシャツの前面下部に当てられる第４シート部とで構成された、折伸自在の携帯用台襟付きシャツホルダーとする。【選択図】  図１
2017081647.tif 000002
【特許請求の範囲】
【請求項１】
本体に襟形保持部を備えたシート状の素材からなる携帯用台襟付きシャツホルダーであって、
前記本体はＴ字形で、該Ｔ字形の下端と平行に設けられた３本の折り目により、該下端から、第１シート部、第２シート部、第３シート部、第４シート部の順に区分され、折伸自在の４つ折りに形成されていて、
第１シート部及び第２シート部は、台襟付きシャツの背面上部に当てられ、該台襟付きシャツを折りたたむ型とされ、
第３シート部は、折りたたまれた台襟付きシャツの背面に当てられ、
第４シート部は、折りたたまれた台襟付きシャツの前面下部に当てられ、さらに、該第４シート部の左右両端部は、該左右両端部に設けられた折り目に沿って折り曲げられるとともに、該左右両端部の端が第３シート部の左右両端に連結手段により連結され、
前記襟形保持部は、襟羽根と台襟の間に挿入され、
下部は略長方形で、上部はワイシャツの台襟のように左右に細長く、その左右両端部の上部はワイシャツの襟羽根を模した形で外側に折り曲げられ、該左右両端部の先端は連結手段により連結され、
該襟形保持部が、第２シート部の上部に位置するように、該襟形保持部の下縁部が第３シート部の縁に連結手段により連結されていることを特徴とする携帯用台襟付きシャツホルダー。
【請求項２】
前記本体の３本の折り目は、第２シート部の長さが第１シート部の長さより長く、第３シート部の長さが第２シート部の長さより長く、第４シート部の長さが、第２シート部の長さより短くなる位置に設けられ、
該折り目に沿って、第１シート部が第２シート部の下に折り返された後、第３シート部が第１シート部の下に折り返され、最後に、第４シート部が第２シート部の上に折り返されていることを特徴とする請求項１に記載の携帯用台襟付きシャツホルダー。
【請求項３】
前記襟形保持部と第３シート部との連結手段が、着脱可能な留め具であることを特徴とする請求項１又は請求項２に記載の携帯用台襟付シャツホルダー。
【請求項４】
前記襟形保持部の上部のうち、下部よりも左右に張り出した部分が切り離され、その切り離された部分に設けられた着脱可能な留め具により再び連結されていることを特徴とする請求項１から請求項３の何れかに記載の携帯用台襟付きシャツホルダー。
【請求項５】
前記第３シート部と第４シート部との間の折り目の部分で、該第３シート部と第４シート部が切り離されていることを特徴とする請求項１から請求項４の何れかに記載の携帯用台襟付きシャツホルダー。
【請求項６】
前記第４シート部の両端と第３シート部の両端との連結手段が、着脱可能な留め具であることを特徴とする請求項１から請求項５の何れかに記載の携帯用台襟付きシャツホルダー。
【請求項７】
前記本体に設けられた折り目のわきと、前記第４シート部の両端部に設けられた折り目のわきに、それぞれ、１又は複数の折り目が設けられていることを特徴とする請求項１から請求項６の何れかに記載の携帯用台襟付きシャツホルダー。
【請求項８】
前記本体及び襟形保持部が、合成樹脂製のシート状の素材によって構成されていることを特徴とする請求項１から請求項７の何れかに記載の携帯用台襟付きシャツホルダー。
【発明の詳細な説明】
【技術分野】
【０００１】
本発明は、台襟付きシャツの襟の形状を保持しながら、その台襟付きシャツを、誰もが同一寸法で容易に折りたたむことができ、かつ、その形状を保持したまま持ち運ぶことができる、携帯用台襟付きシャツホルダーに関する。
【背景技術】
【０００２】
従来のワイシャツ折りたたみ補助具は、蝶番で連結した基盤と案内板の間にワイシャツを挟み、係止片で基盤をワイシャツの上から挟み込んで固定し、ワイシャツ折りたたみ補助具と共にワイシャツを裏返しにして、基盤の縁と基盤の端面に添ってワイシャツを折りたたみ、一定の大きさに折りたたんだ後、係止片を外して案内板を開き、基盤を抜き取って仕上がりになるという構成である。（特許文献１を参照）
【０００３】
しかしながら、上記ワイシャツ折りたたみ補助具は、ワイシャツをたたんだ後基盤を抜き取るので、せっかくきれいにたたんでも、旅行などでそのワイシャツを持ち運んだとき、荷物の間でしわになりやすく、その形状を保持しにくいという点で改善の余地があった。
【０００４】
また、従来のワイシャツ等衣類収納具は、折りたたまれたワイシャツ等の衣類の背面に当たる背板部と、該背板部の上縁部または下縁部に連結される前面押さえ部とからなるワイシャツ等衣類収納具であって、該前面押さえ部は連結部、立ちあげ部、前面保護部及び襟首保護部材からなり、該襟首保護部材は脱着可能とされ、該前面保護部にはクッション材が巻き付けられており、更に該前面押さえ部は開閉又は脱着自在とされている構成である。（特許文献２を参照）
【０００５】
しかしながら、上記ワイシャツ等衣類収納具は、折りたたまれたワイシャツ等の衣類を保管あるいは運搬する際に、その形は崩れないが、それ以前に、衣類を折りたたむのは各人の手作業なので、必ずしも、誰もが容易に衣類をきれいにたためるとは限らないという点で改善の余地があった。
【先行技術文献】
【特許文献】
【０００６】
【特許文献１】特開平９−２２５２００号公報
【特許文献２】実用新案登録第３０４２８６８号公報
【発明の概要】
【発明が解決しようとする課題】
【０００７】
本発明は、以上のような従来の改善余地を踏まえ、台襟付きシャツの襟の形状を保持しながら、その台襟付きシャツを、誰もが同一寸法で容易に折りたたむことができ、かつ、その形状を保持したまま持ち運ぶことができる、携帯用台襟付きシャツホルダーを提供する事を目的としている。
【課題を解決するための手段】
【０００８】
上記目的を達成するために、本発明は、本体に襟形保持部を備えたシート状の素材からなる携帯用台襟付きシャツホルダーである。
【０００９】
前記本体はＴ字形で、該Ｔ字形の下端と平行に設けられた３本の折り目により、該下端から、第１シート部、第２シート部、第３シート部、第４シート部の順に区分され、折伸自在の４つ折りに形成されている。第１シート部及び第２シート部は、台襟付きシャツの背面上部に当てられ、該台襟付きシャツを折りたたむ型とされ、第３シート部は、折りたたまれた台襟付きシャツの背面に当てられ、第４シート部は、折りたたまれた台襟付きシャツの前面下部に当てられ、さらに、該第４シート部の左右両端部は、該左右両端部に設けられた折り目に沿って折り曲げられるとともに、該左右両端部の端が第３シート部の左右両端に連結手段により連結されている。
【００１０】
また、前記襟形保持部は、襟羽根と台襟の間に挿入され、下部は略長方形で、上部はワイシャツの台襟のように左右に細長く、その左右両端部の上部はワイシャツの襟羽根を模した形で外側に折り曲げられ、該左右両端部の先端は連結手段により連結され、該襟形保持部が、第２シート部の上部に位置するように、該襟形保持部の下縁部が第３シート部の縁に連結手段により連結されていることを特徴とする。
【００１１】
前記本体の３本の折り目は、第２シート部の長さが第１シート部の長さより長く、第３シート部の長さが第２シート部の長さより長く、第４シート部の長さが、第２シート部の長さより短くなる位置に設けられ、該折り目に沿って、第１シート部が第２シート部の下に折り返された後、第３シート部が第１シート部の下に折り返され、最後に、第４シート部が第２シート部の上に折り返されていることを特徴とする。
【００１２】
本発明は、前記襟形保持部と第３シート部との連結手段が、着脱可能な留め具であってもよい。
【００１３】
また、前記襟形保持部の上部のうち、下部よりも左右に張り出した部分が切り離され、その切り離された部分が、着脱可能な留め具によって再び連結されていてもよい。
【００１４】
また、前記第３シート部と第４シート部との間の折り目の部分が切り離されていてもよい。
【００１５】
また、前記第４シート部の両端と第３シート部の両端との連結手段が、着脱可能な留め具であってもよい。
【００１６】
また、前記本体に設けられた折り目のわきと、前記第４シート部の両端部に設けられた折り目のわきに、それぞれ、１又は複数の折り目が設けられていてもよい。
【００１７】
また、前記本体及び襟形保持部が、合成樹脂製のシート状の素材によって構成されていてもよい。
【発明の効果】
【００１８】
以上の説明から明らかなように本発明にあっては次に列挙する効果が得られる。
【００１９】
（１）第１シート部と第２シート部は、台襟付きシャツの後ろ身頃上部に当てられ、台襟付きシャツは、該第１シート部及び第２シート部の周縁に沿って、該第１シート部及び第２シート部を巻き込んだまま折りたたまれるので、誰もが台襟付きシャツを同一寸法に、きれいに折りたたむことができる。            
【００２０】
（２）第３シート部は、折りたたまれた台襟付きシャツの背面を覆い、第４シート部は、折りたたまれた台襟付きシャツの前面下部を覆って第３シート部に連結されるので、折りたたまれた台襟付きシャツの形状を保持でき、出張や旅行などで持ち運ぶときに、鞄の中で動いても型崩れしない。
【００２１】
（３）襟形保持部は、台襟付きシャツの襟羽根と台襟の間に沿って挿入されるので、襟全体を下部から支え、襟の形状を保持することができる。
【００２２】
（４）第２シート部の長さが第１シート部の長さよりも長く、第３シート部の長さが第２シート部の長さよりも長くなっているので、台襟付きシャツを折りたたんだとき、該台襟付きシャツの厚みで携帯用台襟付きシャツホルダーの内側が突っ張らない。
【００２３】
（５）襟形保持部と第３シート部が着脱可能な留め具により連結される場合、該着脱可能な留め具の連結する位置を変えることにより、襟形保持部の高さを、台襟付きシャツの台襟に合った高さに調整することができる。
【００２４】
（６）襟形保持部の上部の一部が切り離され、その切り離された部分が着脱可能な留め具により、再び連結されているので、該着脱可能な留め具の位置を変えることにより、襟形保持部の周長を、台襟付きシャツの首回りにあったサイズに調整することができる。
【００２５】
（７）第３シート部と第４シート部が切り離されている場合は、折りたたまれた台襟付きシャツの下部の折り目にシートの折り目の圧力がかからず、しわになりにくい。
【００２６】
（８）第４シート部の両端と第３シート部の両端が着脱可能な留め具によって連結されていている場合は、台襟付きシャツの厚みにより、着脱可能な留め具の位置を調整でき、台襟付きシャツの下部がしっかりと固定される。
【００２７】
（９）本体に設けられた折り目のわきと、第４シート部の左右両端部に設けられた折り目のわきに、１又は複数の折り目が設けられた場合は、台襟付きシャツの折り目部分にシートの折り目の圧力がかかりにくく、台襟付きシャツに折りしわがつきにくい。
また、第４シート部の左右両端の連結する位置を変えたとき、複数の折り目が設けられているので、台襟付きシャツの厚みに応じて、きれいに左右両端部が折り返せる。
【００２８】
（１０）本体及び襟形保持部が合成樹脂製だと、紙製よりも耐久性に優れ、繰り返し使用でき経済的である。
【００２９】
（１１）本発明は、携帯用を目的になされたものであるが、家庭においても使用でき、台襟付きシャツを重ねて収納しても型崩れしない。
【図面の簡単な説明】
【００３０】
【図１】実施例１に係る本発明を広げたときの斜視図である。
【図２】実施例１に係る本発明を折りたたんだときの斜視図である。
【図３】図２のＡ−Ａ線の断面図である。
【図４】実施例１に係る襟形保持部の説明図である。
【図５】実施例１に係る襟形保持部の説明図である。
【図６】実施例１に係る襟形保持部の斜視図である。
【図７】実施例１に係る襟形保持部の説明図である。
【図８】実施例１に係る襟形保持部の説明図である。
【図９】実施例１に係る襟形保持部の説明図である。
【図１０】（ａ）実施例１に係る本体を広げたときの平面図である。            （ｂ）実施例１に係る本体を広げたときの底面図である。
【図１１】実施例２に係る襟形保持部の斜視図である。
【図１２】図１０(ａ)のＣ−Ｃ線部分に面ファスナーを設けた説明図である。
【図１３】図１０(ａ)のＣ−Ｃ線部分に襟形保持部が連結される状態を示す図である。
【図１４】実施例３に係る襟形保持部の斜視図である。
【図１５】図１０(ａ)のＣ−Ｃ線部分に切れ目を設けた説明図である。
【図１６】図１０(ｂ)のＤ−Ｄ線部分に面ファスナーと切れ目を設けた説明図である。
【図１７】実施例３に係る襟形保持部の説明図である。
【図１８】実施例３に係る襟形保持部の説明図である。
【図１９】実施例４に係る襟形保持部の説明図である。
【図２０】実施例４に係る襟形保持部の説明図である。
【図２１】実施例４に係る襟形保持部の斜視図である。
【図２２】実施例５に係る襟形保持部の説明図である。
【図２３】実施例５に係る襟形保持部の斜視図である。
【図２４】実施例６に係る本発明を折りたたんだときの斜視図である。
【図２５】図２４のＡ−Ａ線の断面図である。
【図２６】図２４のＢ−Ｂ線の断面図である。
【図２７】実施例１の使用状態を示した図である。
【図２８】実施例１の使用状態を示した図である。
【図２９】実施例１の使用状態を示した図である。
【図３０】実施例１の使用状態を示した図である。
【図３１】実施例１の使用状態を示した図である。
【図３２】実施例１の使用状態を示した図である。
【図３３】実施例１の使用状態を示した図である。
【図３４】実施例１の使用状態を示した図である。
【図３５】実施例１の使用状態を示した図である。
【図３６】実施例６の使用状態を示した図である。
【図３７】実施例６の使用状態を示した図である。
【発明を実施するための形態】
【００３１】
以下、本発明の実施形態を図に基づいて説明する。なお、実施形態は、以下の形態に限定されるものではなく、本発明の課題を解決しうるものであれば他の態様も実施可能である。
【実施例１】
【００３２】
図１は、実施例１に係る本発明を広げたときの斜視図である。
図１に示すように、この携帯用台襟付きシャツホルダー１は、本体１０に襟形保持部２０Ａを備えたもので、合成樹脂製のシートから形成されている。
【００３３】
図１０に示すように、前記本体１０はＴ字形で、該Ｔ字形の下端１０ａと平行に設けられた折り目１０ｂ、１０ｃ、１０ｄにより、下端１０ａから、第１シート部１１、第２シート部１２、第３シート部１３、第４シート部１４の順に区分されている。
また、折り目１０ｂ、１０ｃ及び１０ｄの両わきには、それぞれ折り目が設けられている。
【００３４】
本体１０の幅は、Ｔ字形の上部を除き、台襟付きシャツＳの幅の半分強で、第２シート部１２の長さは、台襟付きシャツＳの丈の半分弱である。第１シート部１１の長さは、第２シート部１２の長さより１〜２ｃｍ程度短く、第３シート部１３の長さは、第２シート部１２の長さよりも１〜２ｃｍ程度長い。また、Ｔ字形の上部にあたる第４シート部１４の幅は、本体１０の幅より折りたたんだ台襟付きシャツＳの厚み分程度長く、長さは、第２シート部１２の長さの略半分である。
【００３５】
図４に示すように、襟形保持部２０Aは、下部は略長方形で、上部はワイシャツの台襟のように左右に細長く、その左右両端部の上部はワイシャツの襟羽根を模した形をしている。
【００３６】
図５、図６に示すように、襟形保持部２０Aの左右両端は溶着により連結され、左右両端部の上部は外側に折り曲げられている。
【００３７】
なお、溶着による連結に代えて、接着剤やボタン、あるいは面ファスナーにより連結されていてもよい。また、図７から図９に示すように、襟形保持部２０Aの左右両端部に設けられたスリット２０ａが咬み合わさって連結されていてもよい。
【００３８】
襟形保持部２０Ａの周長は、台襟付きシャツＳの襟の周長と略同一で、その上部の左右に細長い部分の幅は、台襟付きシャツＳの台襟の高さと略同一である。
【００３９】
図１から図３に示すように、襟形保持部２０Ａは、本体表面１０Ａの第２シート部１２の上部に位置するように、襟形保持部２０Ａの下縁部が、第３シート部１３の縁に溶着により連結されている。なお、溶着による連結に代えて、ボタンとか接着剤又は面ファスナーにより連結されていてもよい。
【００４０】
図２、図３、図１０に示すように、本体１０は、本体表面１０Ａを上にして、折り目１０ｂに沿って、第１シート部１１が第２シート部１２の下に折り返された後、折り目１０ｃに沿って、第３シート部１３が第１シート部１１の下に折り返され、最後に、折り目１０ｄに沿って、第４シート部１４が第２シート部１２の上に折り返された、折伸自在の４つ折りに形成されている。
【００４１】
第４シート部１４の両端部は、該両端部に設けられた折り目１４ａに沿って、第３シート部１３に向けて折り返され、本体裏面１０Ｂの第４シート部１４の両端と、本体表面１０Ａの第３シート部１３の両端に設けられた面ファスナー３０により、第４シート部１４と第３シート部１３は連結されている。
【００４２】
なお、第４シート部１４と第３シート部１３の両端又は何れか一方の端が、ボタンとか接着剤又は溶着により連結されてもよい。
【実施例２】
【００４３】
実施例２に係る携帯用台襟付きシャツホルダーは、実施例１の携帯用台襟付きシャツホルダー１に係る襟形保持部２０Ａに代えて、襟形保持部２０Ｂを備えている。
【００４４】
図１１に示すように襟形保持部２０Ｂは、襟形保持部２０Ａの下縁部内側に面ファスナー３０が設けられたものである。
【００４５】
図１２、図１３に示すように、本体表面１０Ａの第３シート部１３の縁には面ファスナー３０が設けられ、襟形保持部２０Ｂの下縁部が、第３シート部１３に面ファスナー３０により連結されている
【００４６】
。
面ファスナー３０を連結する位置を変えることにより、襟形保持部２0Ｂの高さを、台襟付きシャツＳの台襟に合った高さに調整することができる。  
【実施例３】
【００４７】
実施例３に係る携帯用台襟付きシャツホルダーは、実施例１の携帯用台襟付きシャツホルダー１に係る襟形保持部２０Ａに代えて、襟形保持部２０Ｃを備えたものである。
【００４８】
図１４に示すように襟形保持部２０Ｃは、襟形保持部２０Ａの下縁部外側に面ファスナー３０が設けられたものである。
【００４９】
図１５、図１６に示すように、本体表面１０Ａの折り目１０ｃに、襟形保持部２０Ｃの下部が挿入できる程の切れ目１３ａが設けられ、本体裏面１０Ｂの第３シート部１３の縁に面ファスナー３０が設けられている。
【００５０】
図１７、図１８に示すように、本体表面１０Ａ側から切れ目１３ａに挿入された襟形保持部２０Ｃの下縁部の外側が、本体裏面１０Ｂの第３シート部１３に連結されている。
【００５１】
折り目１０ｃに設けられた切れ目１３ａに襟形保持部２０Ｃの下縁部が挿入されることにより、該下縁部が第１シート部１１と第３シート部１３に挟まれるので、連結部が安定する。また、面ファスナー３０を連結する位置を変えることにより、襟形保持部２０Ｃの高さを、台襟付きシャツＳの台襟に合った高さに調整することができる。
【実施例４】
【００５２】
実施例４に係る携帯用台襟付きシャツホルダーは、実施例１の携帯用台襟付きシャツホルダー１に係る襟形保持部２０Ａに代えて、襟形保持部２０Ｄを備えたものである。
【００５３】
図１９から図２１に示すように襟形保持部２０Ｄは、襟形保持部２０Ａの上部のうち、下部よりも左右に張り出した部分が切り離されていて、その切り離された部分の両端は数センチ程延長され、その両端部及び切り離した部分の上部に面ファスナー３０が設けられ、その切り離された部分が再度連結されている。
【００５４】
面ファスナー３０を連結する位置を変えることにより、襟形保持部２０Ｄの周長を、台襟付きシャツＳの首回りにあったサイズに調整することができる。
【実施例５】
【００５５】
実施例５に係る携帯用台襟付きシャツホルダーは、実施例１の携帯用台襟付きシャツホルダー１に係る襟形保持部２０Ａに代えて、襟形保持部２０Ｅを備えたものである。
【００５６】
図２０から図２３に示すように、襟形保持部２０Ｅは、襟形保持部２０Ｄの下部の連結部の両端に上下方向に切れ目２０ｅが設けられ、襟形保持部２０Ｄの切り離された部分の両端部は、切れ目２０ｅに差し込める幅に狭められている。
【００５７】
切り離された部分の両端部が、襟形保持部２０Ｅの内側より該切れ目２０ｅに通されているので、襟形保持台１３の上部と下部が分離することなく面ファスナー３０により連結でき、サイズ調整も容易にできる。
【実施例６】
【００５８】
実施例６に係る携帯用台襟付きシャツホルダー６は、図１及び図２４から図２６に示すように、携帯用台襟付きシャツホルダー１の折り目１０ｄの周縁部分が切り取られ、第３シート部と第４シート部が分離されている。
【００５９】
また、携帯用台襟付きシャツホルダー１において、第４シート部の両端と第３シート部は、面ファスナーにより連結されているが、実施例６においては、溶着により連結されている。
【００６０】
溶着により連結されているので、台襟付きシャツを折りたたむとき、台襟付きシャツホルダーの面ファスナーをいちいち着脱することなく、折りたたまれた台襟付きシャツの下部を容易に固定することができる。
【００６１】
また、両端が溶着により連結されているのに代えて、接着剤により連結されていてもよく、何れか片方の端が、面ファスナーやボタンなどの着脱可能な留め具により連結されていてもよい。
【００６２】
本発明の実施例１の使い方を説明する。
図２７に示すように、携帯用台襟付きシャツホルダー１を広げ、襟形保持部２０Ａと台襟付きシャツＳの襟が重なるように、携帯用台襟付きシャツホルダー１の上に台襟付きシャツＳを上向きにのせる。
【００６３】
次に、図２８、図２９に示すように、襟形保持部２０Ａを持ち上げて、台襟付きシャツＳの襟羽根Ｓ１と台襟Ｓ２の間に襟形保持部２０Ａを挿入する。
【００６４】
図２９、図３０に示すように、台襟付きシャツＳと第２シート部１２の上部を押さえながら、襟形保持部２０Ａを下向きにして、台襟付きシャツＳを広げ、台襟付きシャツＳの後ろ身頃Ｓ３の上部に、第２シート部１２、第１シート部１１の順に当てる。
【００６５】
図３１、図３２に示すように、台襟付きシャツＳを第２シート部１２と第１シート部１１の周縁に沿って折りたたみ、第１シート部１１を第2シート部１２の上に折り返す。
【００６６】
図３３から図３５に示すように、折りたたんだ台襟付きシャツＳに第３シート部１３をかぶせ、ひっくり返して襟の部分を上にし、折りたたんだ台襟付きシャツＳの前面下部を第４シート部１４で覆いながら、左右両端部を第３シート部１３に連結する。
【００６７】
本発明の実施例６の使い方を説明する。
図２７から図３３までは、実施例１の使い方と同じで、次は、図３６、図３７に示すように、折りたたまれた台襟付きシャツの下部を第３シート部と第４シート部の間に差し込む。
【符号の説明】
【００６８】
（実施例１）
１      携帯用台襟付きシャツホルダー
１０    本体
１０Ａ  本体表面
１０Ｂ  本体裏面
１０ａ  下端
１０ｂ  折り目
１０ｃ  折り目
１０ｄ  折り目
１１    第１シート部
１２    第２シート部
１３    第３シート部
１４    第４シート部
１４ａ  折り目
２０Ａ  襟形保持部
２０ａ  スリット
（実施例２）
２０Ｂ  襟形保持部
（実施例３）
２０Ｃ  襟形保持部
１３ａ  切れ目
（実施例４）
２０Ｄ  襟形保持部
（実施例５）
２０Ｅ  襟形保持部
２０ｅ  切れ目
（実施例６）
６    携帯用台襟付きシャツホルダー
３０    面ファスナー
Ｓ    台襟付きシャツ
Ｓ１  襟羽根
Ｓ２  台襟
Ｓ３  後ろ身頃  
【図１】
2017081647.tif 000003
【図２】
2017081647.tif 000004
【図３】
2017081647.tif 000005
【図４】
2017081647.tif 000006
【図５】
2017081647.tif 000007
【図６】
2017081647.tif 000008
【図７】
2017081647.tif 000009
【図８】
2017081647.tif 000010
【図９】
2017081647.tif 000011
【図１０】
2017081647.tif 000012
【図１１】
2017081647.tif 000013
【図１２】
2017081647.tif 000014
【図１３】
2017081647.tif 000015
【図１４】
2017081647.tif 000016
【図１５】
2017081647.tif 000017
【図１６】
2017081647.tif 000018
【図１７】
2017081647.tif 000019
【図１８】
2017081647.tif 000020
【図１９】
2017081647.tif 000021
【図２０】
2017081647.tif 000022
【図２１】
2017081647.tif 000023
【図２２】
2017081647.tif 000024
【図２３】
2017081647.tif 000025
【図２４】
2017081647.tif 000026
【図２５】
2017081647.tif 000027
【図２６】
2017081647.tif 000028
【図２７】
2017081647.tif 000029
【図２８】
2017081647.tif 000030
【図２９】
2017081647.tif 000031
【図３０】
2017081647.tif 000032
【図３１】
2017081647.tif 000033
【図３２】
2017081647.tif 000034
【図３３】
2017081647.tif 000035
【図３４】
2017081647.tif 000036
【図３５】
2017081647.tif 000037
【図３６】
2017081647.tif 000038
【図３７】
2017081647.tif 000039
【手続補正書】
【提出日】平成28年10月11日(2016.10.11)
【手続補正１】
【補正対象書類名】特許請求の範囲
【補正対象項目名】全文
【補正方法】変更
【補正の内容】
【特許請求の範囲】
【請求項１】
本体に襟形保持部を備えたシート状の素材からなる携帯用台襟付きシャツホルダーであって、
前記本体はＴ字形で、該Ｔ字形の下端と平行に設けられた３本の折り目により、該下端から、第１シート部、第２シート部、第３シート部、第４シート部の順に区分され、折伸自在の４つ折りに形成されていて、
第１シート部及び第２シート部は、台襟付きシャツの背面上部に当てられ、該台襟付きシャツを折りたたむ型とされ、
第３シート部は、折りたたまれた台襟付きシャツの背面に当てられ、
第４シート部は、折りたたまれた台襟付きシャツの前面下部に当てられ、さらに、該第４シート部の左右両端部は、該左右両端部に設けられた折り目に沿って折り曲げられるとともに、該左右両端部の端が第３シート部の左右両端に連結手段により連結され、
前記襟形保持部は、襟羽根と台襟の間に挿入され、
下部は略長方形で、上部はワイシャツの台襟のように左右に細長く、その左右両端部の上部はワイシャツの襟羽根を模した形で外側に折り曲げられ、該左右両端部の先端は連結手段により連結され、
該襟形保持部が、第２シート部の上部に位置するように、該襟形保持部の下縁部が第３シート部の縁に連結手段により連結されていることを特徴とする携帯用台襟付きシャツホルダー。
【請求項２】
前記本体の３本の折り目は、第２シート部の長さが第１シート部の長さより長く、第３シート部の長さが第２シート部の長さより長く、第４シート部の長さが、第２シート部の長さより短くなる位置に設けられ、
該折り目に沿って、第１シート部が第２シート部の下に折り返された後、第３シート部が第１シート部の下に折り返され、最後に、第４シート部が第２シート部の上に折り返されていることを特徴とする請求項１に記載の携帯用台襟付きシャツホルダー。
【請求項３】
前記襟形保持部と第３シート部との連結手段が、着脱可能な留め具であることを特徴とする請求項１又は請求項２に記載の携帯用台襟付シャツホルダー。
【請求項４】
前記襟形保持部の上部のうち、下部よりも左右に張り出した部分が切り離され、その切り離された部分に設けられた着脱可能な留め具により再び連結されていることを特徴とする請求項１から請求項３の何れかに記載の携帯用台襟付きシャツホルダー。
【請求項５】
前記第４シート部の両端と第３シート部の両端との連結手段が、着脱可能な留め具であることを特徴とする請求項１から請求項４の何れかに記載の携帯用台襟付きシャツホルダー。
【請求項６】
請求項１から請求項５の何れか一項に記載の携帯用台襟付きシャツホルダーにおいて、前記第３シート部と前記第４シート部に区分する前記折り目に代えて、前記第３シート部と前記第４シート部との間の前記折り目の部分で、該第３シート部と該第４シート部が切り離されているとともに、前記第４シート部の左右両端部の両端又は何れか一方の端が、前記第３シート部の左右両端部の対応する端に溶着又は接着剤により連結されていることを特徴とする携帯用台襟付きシャツホルダー。
【請求項７】
前記本体に設けられた折り目のわきと、前記第４シート部の両端部に設けられた折り目のわきに、それぞれ、１又は複数の折り目が設けられていることを特徴とする請求項１から請求項６の何れかに記載の携帯用台襟付きシャツホルダー。
【請求項８】
前記本体及び襟形保持部が、合成樹脂製のシート状の素材によって構成されていることを特徴とする請求項１から請求項７の何れかに記載の携帯用台襟付きシャツホルダー。  
【手続補正２】
【補正対象書類名】明細書
【補正対象項目名】００１４
【補正方法】変更
【補正の内容】
【００１４】
また、前記第４シート部の両端と第３シート部の両端との連結手段が、着脱可能な留め具であってもよい。
【手続補正３】
【補正対象書類名】明細書
【補正対象項目名】００１５
【補正方法】変更
【補正の内容】
【００１５】
また、前記に記載の携帯用台襟付きシャツホルダーにおいて、前記第３シート部と前記第４シート部に区分する前記折り目に代えて、前記第３シート部と前記第４シート部との間の前記折り目の部分で、該第３シート部と該第４シート部が切り離されているとともに、前記第４シート部の左右両端部の両端又は何れか一方の端が、前記第３シート部の左右両端部の対応する端に溶着又は接着剤により連結されていてもよい。
【手続補正４】
【補正対象書類名】明細書
【補正対象項目名】００２３
【補正方法】変更
【補正の内容】
【００２３】
（７）第３シート部と第４シート部との間の折り目の部分が切り離されている場合は、折りたたまれた台襟付きシャツの下部の折り目にシートの折り目の圧力がかからず、しわになりにくい。
【手続補正書】
【提出日】平成28年11月17日(2016.11.17)
【手続補正１】
【補正対象書類名】特許請求の範囲
【補正対象項目名】全文
【補正方法】変更
【補正の内容】
【特許請求の範囲】
【請求項１】
本体に襟形保持部を備えたシート状の素材からなる携帯用台襟付きシャツホルダーであって、
前記本体はＴ字形で、該Ｔ字形の下端と平行に設けられた３本の折り目により、該下端から、第１シート部、第２シート部、第３シート部、第４シート部の順に区分され、折伸自在の４つ折りに形成されていて、
第１シート部及び第２シート部は、台襟付きシャツの背面上部に当てられ、該台襟付きシャツを折りたたむ型とされ、
第３シート部は、折りたたまれた台襟付きシャツの背面に当てられ、
第４シート部は、折りたたまれた台襟付きシャツの前面下部に当てられ、さらに、該第４シート部の左右両端部は、該左右両端部に設けられた折り目に沿って折り曲げられるとともに、該左右両端部の端が第３シート部の左右両端に連結手段により連結され、
前記襟形保持部は、襟羽根と台襟の間に挿入され、
下部は略長方形で、上部はワイシャツの台襟のように左右に細長く、その左右両端部の上部はワイシャツの襟羽根を模した形で外側に折り曲げられ、該左右両端部の先端は連結手段により連結され、
該襟形保持部が、第２シート部の上部に位置するように、該襟形保持部の下縁部が第３シート部の縁に連結手段により連結されていることを特徴とする携帯用台襟付きシャツホルダー。
【請求項２】
前記本体の３本の折り目は、第２シート部の長さが第１シート部の長さより長く、第３シート部の長さが第２シート部の長さより長く、第４シート部の長さが、第２シート部の長さより短くなる位置に設けられ、
該折り目に沿って、第１シート部が第２シート部の下に折り返された後、第３シート部が第１シート部の下に折り返され、最後に、第４シート部が第２シート部の上に折り返されていることを特徴とする請求項１に記載の携帯用台襟付きシャツホルダー。
【請求項３】
前記襟形保持部と第３シート部との連結手段が、着脱可能な留め具であることを特徴とする請求項１又は請求項２に記載の携帯用台襟付シャツホルダー。
【請求項４】
前記襟形保持部の上部のうち、下部よりも左右に張り出した部分が切り離され、その切り離された部分に設けられた着脱可能な留め具により再び連結されていることを特徴とする請求項１から請求項３の何れかに記載の携帯用台襟付きシャツホルダー。
【請求項５】
前記第４シート部の両端と第３シート部の両端との連結手段が、着脱可能な留め具であることを特徴とする請求項１から請求項４の何れかに記載の携帯用台襟付きシャツホルダー。
【請求項６】
請求項１から請求項４の何れか一項に記載の携帯用台襟付きシャツホルダーにおいて、前記第３シート部と前記第４シート部に区分する前記折り目に代えて、前記第３シート部と前記第４シート部との間の前記折り目の部分で、該第３シート部と該第４シート部が切り離されているとともに、前記第４シート部の左右両端部の両端又は何れか一方の端が、前記第３シート部の左右両端部の対応する端に溶着又は接着剤により連結されていることを特徴とする携帯用台襟付きシャツホルダー。
【請求項７】
前記本体に設けられた折り目のわきと、前記第４シート部の両端部に設けられた折り目のわきに、それぞれ、１又は複数の折り目が設けられていることを特徴とする請求項１から請求項６の何れかに記載の携帯用台襟付きシャツホルダー。
【請求項８】
前記本体及び襟形保持部が、合成樹脂製のシート状の素材によって構成されていることを特徴とする請求項１から請求項７の何れかに記載の携帯用台襟付きシャツホルダー。